(57)【要約】
【目的】　皮膚の老廃物を浮きださせる効果と、皮膚にゲルマニウムを浸透させて皮膚の血流を良くするという効果とを発揮する。
【構成】　ローラ１００を回転自在に支持するローラ支持部２００と、このローラ支持部２００と電気的に絶縁された把持部３００と、この把持部３００の内部に収納される直流電源４００とを備えており、前記ローラ１００は、外周面に金薄膜１２０が、さらにその上にゲルマニウム薄膜１３０がそれぞれ被着された略円柱状の永久磁石１１０であり、前記直流電源４００の一方の電極は把持部３００に、他方の電極は前記ローラ支持部２００を介してローラ１００にそれぞれ電気的に接続されており、前記直流電源４００は、陽極４１０と陰極４２０とを入れ替え可能になっている。
【選択図】　　　図１
0003099756.tif 000002
【実用新案登録請求の範囲】
【請求項１】
　ローラを回転自在に支持するローラ支持部と、このローラ支持部と電気的に絶縁された把持部と、この把持部の内部に収納される直流電源とを具備しており、前記ローラは、外周面に金薄膜が、さらにその上にゲルマニウム薄膜がそれぞれ被着された略円柱状の永久磁石であり、前記直流電源の一方の電極は把持部に、他方の電極は前記ローラ支持部を介してローラにそれぞれ電気的に接続されており、前記直流電源は、陽極と陰極とを入れ替え可能になっていることを特徴とするマッサージ器。
【請求項２】
　前記ローラ支持部は二股になっており、２つのローラが離れて支持されていることを特徴とする請求項１記載のマッサージ器。
【請求項３】
　前記直流電源は、乾電池であることを特徴とする請求項１又は２記載のマッサージ器。
【考案の詳細な説明】
【技術分野】
【０００１】
　本考案は、皮膚の活性化を図るマッサージ器に関する。
【背景技術】
【０００２】
　女性にとって皮膚を美しくし、その美しい皮膚を長く保つことは古来からの願望であり、そのために多くの化粧品やマッサージ器等が考案されている。この種のマッサージ器としては、実願昭６４−５０８４２号公報（特許文献１）、特開平０１−１９５８６７号公報（特許文献２）、実公平０４−０３３８６１号公報（特許文献３）等に記載されたものがある。
【０００３】
【特許文献１】実願昭６４−５０８４２号公報
【特許文献２】特開平０１−１９５８６７号公報
【特許文献３】実公平０４−０３３８６１号公報
【考案の開示】
【考案が解決しようとする課題】
【０００４】
　しかしながら、上述した特許文献１に記載されたマッサージ器は、単に皮膚にゲルマニウムを浸透させることによって皮膚の血行を良くするだけであって、皮膚にある老廃物、例えば油分等を取り除くことができない。
【０００５】
　また、上述した特許文献２に記載されたマッサージ器は、ステンレス類中空芯管の内部にヒータ線を有し、ステンレス請求類中空芯管の外周部には中空円筒形ローラを有し、この中空円筒形ローラにはゲルマニウム等の半導体を保持させているが、前記ヒータ線で半導体を加熱して使用するようになっている。従って、特に皮膚の敏感な人にとっては熱すぎて使えないという問題がある。
【０００６】
　さらに、上述した特許文献３に記載されたマッサージ器は、把持部の上方部内に駆動部を内蔵し、偏心した円柱形の回転体を前記駆動部で回転駆動させる構成になっている。従って、このマッサージ器では、使用時に振動するため、長時間にわたって使用すると把持部を把持している手が疲れるので、長時間にわたって使用することができないという問題点がある。
【課題を解決するための手段】
【０００７】
　本考案に係るマッサージ器は、ローラを回転自在に支持するローラ支持部と、このローラ支持部と電気的に絶縁された把持部と、この把持部の内部に収納される直流電源とを備えており、前記ローラは、外周面に金薄膜が、さらにその上にゲルマニウム薄膜がそれぞれ被着された略円柱状の永久磁石であり、前記直流電源の一方の電極は把持部に、他方の電極は前記ローラ支持部を介してローラにそれぞれ電気的に接続されており、前記直流電源は、陽極と陰極とを入れ替え可能になっている。
【０００８】
　また、前記ローラ支持部は二股になっており、２つのローラが離れて支持されている。
【０００９】
さらに、前記直流電源として乾電池を使用することが望ましい。
【考案の効果】
【００１０】
　本考案に係るマッサージ器は、ローラを回転自在に支持するローラ支持部と、このローラ支持部と電気的に絶縁された把持部と、この把持部の内部に収納される直流電源とを備えており、前記ローラは、外周面に金薄膜が、さらにその上にゲルマニウム薄膜がそれぞれ被着された略円柱状の永久磁石であり、前記直流電源の一方の電極は把持部に、他方の電極は前記ローラ支持部を介してローラにそれぞれ電気的に接続されており、前記直流電源は、陽極と陰極とを入れ替え可能になっている。
【００１１】
　かかるマッサージ器であると、ローラに直流電源の陽極を接続し、把持部に直流電源の陰極を接続した場合には、皮膚の老廃物を浮きださせる効果があり、ローラに直流電源の陰極を接続し、把持部に直流電源の陽極を接続した場合には、皮膚にゲルマニウムを浸透させて皮膚の血流を良くするという効果がある。
【００１２】
　また、前記ローラ支持部は二股になっており、２つのローラが離れて支持されていると、皮膚に与える機械的な刺激が大きくなるというメリットがある。
【００１３】
さらに、前記直流電源として乾電池を使用すると、手軽に利用できるマッサージ器とすることができる。
【考案を実施するための最良の形態】
【００１４】
　図１は本考案に係るマッサージ器の概略的断面図、図２は本考案に係るマッサージ器のローラの概略的断面図、図３は本考案に係るマッサージ器において直流電源である乾電池を入れ替えた状態を示す概略的断面図である。
【００１５】
　本考案に係るマッサージ器は、ローラ１００を回転自在に支持するローラ支持部２００と、このローラ支持部２００と電気的に絶縁された把持部３００と、この把持部３００の内部に収納される直流電源４００とを備えており、前記ローラ１００は、外周面に金薄膜１２０が、さらにその上にゲルマニウム薄膜１３０がそれぞれ被着された略円柱状の永久磁石１１０であり、前記直流電源４００の一方の電極は把持部３００に、他方の電極は前記ローラ支持部２００を介してローラ１００にそれぞれ電気的に接続されており、前記直流電源４００は、陽極４１０と陰極４２０とを入れ替え可能になっている。
【００１６】
　前記ローラ１００は、図２に示すように、中央に貫通孔１１１が開設された永久磁石１１０と、この永久磁石１１０の外面に被着された金薄膜１２０と、この金薄膜１２０の上で、かつ永久磁石１１０の外周面に相当する部分に被着されたゲルマニウム薄膜１３０とを有している。前記永久磁石には、例えばフェライト磁石が使用される。
【００１７】
　また、前記ローラ支持部２００は、略Ｔ字形状に形成されており、その横軸部２１０の２つの先端にそれぞれ前記ローラ１００を回転可能に支持するようになっている。また、このローラ支持部２００の縦軸部２２０の下端は後述する直流電源４００としての乾電池の陽極４１０又は陰極４２０の何れか一方の電極が接触するようになっている。なお、このローラ支持部２００は、導電性を有する金属から構成されている。
【００１８】
　さらに、前記把持部３００は、このマッサージ器を使用する際に手で把持する部分であって、内部に直流電源４００である乾電池を収納可能なように円筒形状になった把持部本体３１０と、この把持部本体３１０の下端縁部に取り付けられる蓋体３２０とを有している。
【００１９】
　前記把持部本体３１０の下端部の内周面には雌ねじ３１１が形成されている。また、前記蓋体は、側面視略凸字形状に形成されており、その周面には前記雌ねじ３１１に対応した雄ねじ３２１が形成されている。すなわち、この蓋体３２０は、把持部本体３１０の下端部に着脱可能になっているのである。また、前記蓋体３２０の上端の中央部には、突起３２２が突出されている。
【００２０】
　かかる把持部３００を構成する把持部本体３１０と蓋体３２０とは、導電性を有する金属から構成されている。
【００２１】
　一方、前記把持部本体３００の上端部には、絶縁性を有する素材、例えばゴム等のキャップ３３０が嵌合されている。このキャップ３３０には貫通孔３３１が開設されており、この貫通孔３３１には前記ローラ支持部２００の縦軸部２２０が嵌め込まれている。
【００２２】
把持部３００とローラ支持部２００とは、前記キャップ３３０を介して構造的に連結してはいるが、キャップ３３０が絶縁性を有する素材から構成されているために、電気的には絶縁されていることになる。
【００２３】
　次に、このように構成されたマッサージ器の使用方法について説明する。
　まず、皮膚から老廃物を浮きださせる場合の使用方法について説明する。
　この場合には、図１に示すように、ローラ１００を直流電源４００の陽極４１０に接続し、把持部３００を直流電源４００の陰極４２０に接続する。すなわち、直流電源４００である乾電池の陽極４１０をローラ支持部２００の縦軸部２２０の下端に接触させ、直流電源４００である乾電池の陰極４２０を蓋体３２０の突起３２２に接触させるのである。この状態で、把持部３００を把持し、ローラ１００を皮膚に接触させると、ローラ１００が接触している皮膚に含まれている老廃物、例えば油分等が皮膚から浮き上がる。
【００２４】
　すなわち、直流電源４００からの数μＡ程度の微弱な電流が、直流電源４００→ローラ支持部２００→ローラ１００→人間の身体→把持部本体３１０→蓋体３２０→直流電源４００のように流れる。この場合、ローラ１００は正に帯電し、把持部３００は負に帯電しているので、皮膚は正に帯電する。このため、皮膚に含まれる負に帯電した油分が皮膚から浮き上がるのである。
【００２５】
　また、ゲルマニウムを肌に浸透させ、血流を良くする場合には、図３に示すように、ローラ１００を直流電源４００の陰極４２０に接続し、把持部３００を直流電源４００の陽極４１０に接続する。すなわち、直流電源４００である乾電池の陰極４２０をローラ支持部２００の縦軸部２２０の下端に接触させ、直流電源４００である乾電池の陽極４１０を蓋体３２０の突起３２２に接触させるのである。この状態で、把持部３００を把持し、ローラ１００を皮膚に接触させると、ローラ１００が接触している皮膚にゲルマニウムが浸透し、皮膚の血流が良くなる。
【００２６】
　すなわち、直流電源４００からの数μＡ程度の微弱な電流が、直流電源４００→蓋体３２０→把持部本体３１０→人間の身体→ローラ１００→ローラ支持部２００→直流電源４００のように流れる。この場合、ローラ１００は負に帯電し、把持部３００は正に帯電しているので、皮膚は負に帯電する。このため、ローラ１００のゲルマニウム薄膜１３０中のゲルマニウム原子ＧｅがゲルマニウムイオンＧｅ4+となってローラ１００から皮膚へ浸透するのである。
【００２７】
　なお、ローラ１００は２つあるので、ローラが１つのタイプのものより皮膚に与える機械的刺激が多くなるというメリットがある。
【図面の簡単な説明】
【００２８】
【図１】本考案に係るマッサージ器の概略的断面図である。
【図２】本考案に係るマッサージ器のローラの概略的断面図である。
【図３】本考案に係るマッサージ器において直流電源である乾電池を入れ替えた状態を示す概略的断面図である。
【符号の説明】
【００２９】
　１００　　ローラ
　２００　　ローラ支持部
　３００　　把持部
　４００　　直流電源
【図１】
0003099756.tif 000003
【図２】
0003099756.tif 000004
【図３】
0003099756.tif 000005